(57)【要約】【課題】ユーザインターフェイス部のレギュレータ発熱を抑えるとともに、停電検知の反応を素早くして停電からＣＰＵリセットまでの時間を長くし、停電時における必要な処理を確実に行えるようにする。【解決手段】ネットワークバス１に複数台の室内外機２，３および集中制御装置ＣＣを接続してなり、集中制御装置ＣＣのコンバータ部１１は、交流電源８をＡＣ／ＤＣ電源１１ａで降圧して第１直流電圧を得、その直流電圧をＤＣ／ＤＣ電源１１ｂでさらに降圧して第２直流電圧を得、この第２直流電圧をレギュレータ１１ｂでコンバータ部１１の動作電圧にするとともに、第２直流電圧をユーザインターフェイス１０に供給する一方、第１直流電圧により停電検知回路５ｄで停電を検知し、その停電検知情報をユーザインターフェイス部１０に出力する。ユーザインターフェイス部１０では供給直流電圧をレギュレータ１２ａなどで安定化して動作電圧を得る一方、停電検知情報により停電処理をＣＰＵ６ｂなどで行う。【選択図】    図１
2004251467.tif 000002
【特許請求の範囲】
【請求項１】
ネットワーク上に接続した複数台の室内外機と、それら室内外機を遠隔制御可能とするためのユーザインターフェイス部および同ユーザインターフェイス部と上記各室内外機との通信を互換するためのコンバータ部を有する集中制御装置とを備え、上記ユーザインターフェイス部の空調制御操作手段の操作に応じて上記室内外機を制御して空調コントロールを実現する空調ネットワークシステムにおいて、
上記コンバータ部は、交流電源を降圧，整流・平滑化して第１直流電圧を得、該第１直流電圧をＤＣ／ＤＣコンバータ手段でさらに降圧して第２直流電圧を得、該第２直流電圧をレギュレータで当該コンバータ部の動作電圧にするとともに、上記第２直流電圧を上記ユーザインターフェイス部に供給し、上記ユーザインターフェイス部では、供給された上記第２直流電圧をレギュレータで当該ユーザインターフェイス部の動作電圧とするようにしたことを特徴とする空調ネットワークシステム。
【請求項２】
ネットワーク上に接続した複数台の室内外機と、それら室内外機を遠隔制御可能とするためのユーザインターフェイス部および同ユーザインターフェイス部と各室内外機との通信を互換するためのコンバータ部を有する集中制御装置とを備え、上記ユーザインターフェイス部の空調制御操作手段の操作に応じて上記室内外機を制御して空調コントロールを実現する空調ネットワークシステムにおいて、
上記コンバータ部は、交流電源を降圧，整流・平滑化して第１直流電圧を得、該第１直流電圧をＤＣ／ＤＣコンバータ手段でさらに降圧して第２直流電圧を得、該第２直流電圧をレギュレータで当該コンバータ部の動作電圧にするとともに、上記第２直流電圧を上記ユーザインターフェイス部に供給する一方、上記第１直流電圧により停電を検知し、該停電検知情報を上記ユーザインターフェイス部に伝送し、上記ユーザインターフェイス部では、供給された上記第２直流電圧をレギュレータで当該ユーザインターフェイス部の動作電圧とする一方、伝送された上記停電検知情報により停電処理を行えるようにしたことを特徴とする空調ネットワークシステム。
【請求項３】
上記第１直流電圧を生成する電源および上記第２直流電圧を生成する電源は、トランスによる絶縁構造としてなる請求項１または２に記載の空調ネットワークシステム。
【請求項４】
上記ユーザインターフェイス部は、少なくとも空調操作手段および表示手段を備えた専用インターフェイス部（Ｕ／Ｉ（専用）部）と、パソコンのインターフェイス部（Ｕ／Ｉ（ＰＣ）部）とを含み、上記コンバータ部と上記Ｕ／Ｉ（専用）部および上記Ｕ／Ｉ（ＰＣ）部との通信は、パソコンと同等のインターフェイスを採用して上記コンバータ部を共通化してなり、パソコンのアプリケーションソフトを用いて上記Ｕ／Ｉ（ＰＣ）部と上記Ｕ／Ｉ（専用）部との接続を可能とした請求項１または２に記載の空調ネットワークシステム。
【請求項５】
上記コンバータ部は、停電検知情報をＣＰＵの内部に一旦取り込み、瞬時停電であるかもしくはＣＰＵリセットを伴う時間を有する停電であるかを判定し、該判定を含めて停電検知情報を上記ユーザインターフェイス部に伝送し、上記ユーザインターフェイス部における不必要な停電検知処理実行を低減するようにした請求項２に記載の空調ネットワークシステム。
【請求項６】
上記ユーザインターフェイス部に供給する直流電圧は、少なくとも上記コンバータ部と、上記Ｕ／Ｉ（専用）部および上記Ｕ／Ｉ（ＰＣ）部との接続ケーブルの電圧降下分を加味して生成される請求項４または５に記載の空調ネットワークシステム。
【請求項７】
上記コンバータ部と上記ユーザインターフェイス部との通信にはＲＣ２３２Ｃプロトコルを用い、空調制御のための通信およびハンドシェイク以外での空きピンを停電検知情報の伝送用に用い、上記Ｕ／Ｉ（ＰＣ）部と上記Ｕ／Ｉ（専用）部との互換性を確保するようにした請求項４，５または６に記載の空調ネットワークシステム。
【請求項８】
上記コンバータ部は内部で停電を検知し、ＲＳ２３２Ｃインターフェイスの空きピンを利用して、停電検知情報を上記パソコンのＵ／Ｉ（ＰＣ）部に伝送し、上記パソコンに搭載されているアプリケーションソフトによって停電の有無を判定して停電の報知し、その停電復帰後に上記コンバータ部との間の再同期処理を再開し、ネットワーク上の上記室内外機の再起動を可能としてなる請求項４，５または６に記載の空調ネットワークシステム。
【発明の詳細な説明】
【０００１】
【発明の属する技術分野】
本発明は、例えば大規模なビルディングなどに設置されるマルチ制御エアコンの空調ネットワークシステムに関し、さらに詳しく言えば、ネットワーク上の複数台の室内外機をコンバータ部およびユーザインターフェイス部によって遠隔制御する空調ネットワークシステムに関するものである。
【０００２】
【従来の技術】
空調ネットワークシステムは、例えば建物の各階などに必要数の室内機を配置するとともに、それら室内機、室外機および集中制御装置をフィールドバスネットワークに懸吊して各階ごとでの空調制御を可能とするシステムで、そのシステム構成例を図４に示す。
【０００３】
すなわち、この空調ネットワークシステムは、ネットワークバス１に複数台の室内機２、１台の室外機３および集中制御装置４を接続し、集中制御装置４によって室内機２および室外機３を遠隔制御して空調コントロールを行う。
【０００４】
集中制御装置４は、ネットワーク上のデータフレームをユーザインターフェイス部８および室内機２、室外機３とで互換するためのコンバータ部５を備え、ユーザインターフェイス部８によって室内機２および室外機３を遠隔制御する。
【０００５】
ユーザインターフェイス部８には、専用コントローラを用いたソフトウェア制御端末としてのＵ／Ｉ（専用）部６と、ＰＣ（パソコン）を用いたソフトウェア制御端末としてのＵ／Ｉ（ＰＣ）部７とがあり、Ｕ／Ｉ（専用）部６およびＵ／Ｉ（ＰＣ）部７は、それぞれ所定の通信プロトコルに準拠している。Ｕ／Ｉ（専用）部６およびＵ／Ｉ（ＰＣ）部７には、コンバータ部５からその電源が供給される。
【０００６】
したがって、例えば停電などが発生すると、その電源供給が停止されることになる。この停電時には、少なくとも室内機２の状態を記憶する処理などを行う必要があるが、ネットワーク上には多くの室内機２が存在することから、その処理時間がある程度必要である。この場合、コンバータ部５側だけなく、ユーザインターフェイス部８側でも、その停電の検知から内部ＣＰＵのリセットを発生するまでの時間を十分に確保する必要がある。
【０００７】
ところで、コンバータ部５は、交流商用電源８をＡＣ／ＤＣ電源５ａで直流電圧（例えば１２Ｖ）に変換し、直流電圧をレギュレータ５ｂで定電圧（５Ｖ）として、空調制御に必要な処理を行うＣＰＵ５ｃなどの動作電圧にするとともに、その１２Ｖ系の電圧をＵ／Ｉ（専用）部６およびＵ／Ｉ（ＰＣ）部７の電源として供給する。
【０００８】
また、停電などを検知するために、その直流電圧を停電検知回路５ｄに入力して停電検知信号を得てＣＰＵ５ｃに出力しており、ＣＰＵ５ｃによってその停電時で必要な処理を実行する。なお、ＣＰＵ５ｃはＵ／Ｉ（専用）部６およびＵ／Ｉ（ＰＣ）部７とデータの送受信を可能とし、また、データをネットワークバス１上に出力するとともに、ネットワークバス１上のデータを入力する。
【０００９】
さらに、Ｕ／Ｉ（専用）部６は、コンバータ部５からの直流電圧をレギュレータ６ａで定電圧とし空調制御に必要な処理を行うＣＰＵ６ｂ、操作部６ｃおよび表示部６ｄなどの動作電源にし、コンバータ部５と同様に、その直流電圧を停電検知回路６ｅに入力して停電検知信号を得てＣＰＵ６ｂに出力しており、ＣＰＵ６ｂによってその停電時で必要な処理を実行する。なお、ＣＰＵ６ｂは操作部６ｃの操作により空調制御に必要を処理（ＣＰＵ５ｃとのデータ転送処理を含む）を実行し、表示部６ｄに空調制御状態などを表示する。
【００１０】
Ｕ／Ｉ（ＰＣ）部７は、停電検知回路を除いて殆どＵ／Ｉ（専用）部６と同じ構成であるが、上述したように、専用コントローラによる専用ソフトウェア端末機に対してパソコンによる一般的なソフトウェア端末機として用いる。
【００１１】
この空調ネットワークシステムによると、ネットワークバス１からのデータフレームをプロトコル変換してＵ／Ｉ（専用）部６やＵ／Ｉ（ＰＣ）部７に出力し、また、Ｕ／Ｉ（専用）部６やＵ／Ｉ（ＰＣ）部７からのデータをプロトコル変換してネットワークバス１に出力してネットワークバス１と端末との間におけるデータの双方向通信を行うことにより、室内機２および室外機３を遠隔制御することができる。
【００１２】
【発明が解決しようとする課題】
多くの場合、Ｕ／Ｉ（専用）部６およびＵ／Ｉ（ＰＣ）部７を含むユーザインターフェイス部８は、建物の壁面に取り付けられる。そのため、薄型で密閉度の高い筐体が用いられるが、電源を供給するにあたって安全性の観点から発熱を最小限に抑える必要がある。
【００１３】
その発熱を抑えるために、供給電圧をレギュレータの前段で降圧するようにしているが、その分どうしても、電圧の検知レベルが狭くなるため、停電の検知が遅れることになる。すなわち、発熱を抑えようとすると停電検知レベルが狭くなり、停電検知レベルを広げようとすると、発熱が抑えられなくなる。
【００１４】
また、停電検知は、コンバータ部５とユーザインターフェイス部８で独立して行われるため、停電検知が同期的しておらず、また、Ｕ／Ｉ（ＰＣ）部７では停電検知ができない。そこで、上記レギュレータにおける発熱を勘案して、図５に例示するように、レギュレータ６ａの前段にダイオード６ｆを順方向に挿入し、そのダイオード６ｆの電圧降下分だけ供給電源を降圧する方法がある。
【００１５】
この場合、入力交流電源をＡＣ／ＤＣ電源５ａの降圧トランスで降圧して供給電源（直流電圧）とするが、その直流電圧が１２Ｖである場合、複数個のダイード６ｆを直列に接続し、その直流電圧を７Ｖまで降圧してレギュレータ６ａに入力し、このレギュレータ６ａによってＣＰＵなどの電源（５Ｖ）を出力する。レギュレータ６ａの出力段は降圧分を差し引いた電圧から降下を開始する。
【００１６】
例えば、図６に示すように、停電によりコンバータ部５における１２Ｖ電圧が降下を開始すると（同図（ａ）参照）、この１２Ｖ電圧の降下とほぼ同時に、ダイオード６ｆを介した７Ｖ電圧が降下を開始し（同図（ｂ）参照）、レギュレータ６ａの出力電圧（５Ｖ）はその７Ｖ電圧よりも遅れて降下を開始する（同図（ｃ）参照）。
【００１７】
一方、１２Ｖ電圧が基準値Ｒｅｆ以下になると、停電電圧回路６ｅからは停電検出信号が出力され（同図（ｄ）参照）、この停電検出信号を受けたＣＰＵ６ｂはリセット処理を実行する（同図（ｅ）参照）。
【００１８】
レギュレータ６ａの発熱を考慮した場合、１２Ｖ電圧が基準値Ｒｅｆまで降下する前に、レギュレータ６ａの出力電圧が降下を開始することから、停電の検知からＣＰＵ６ｂのリセット処理までの時間ｔがどうしても短くなってしまう。
【００１９】
この時間ｔが短いと、空調ネットワークシステムの現状態が完全に記憶されずに、中途半端な処理で終了することがあり、システムの再起動に際して元の状態に復帰できなくなる。したがって、従来技術では、レギュレータの発熱を容認し、レギュレータの前段で降圧しないようにしなければ、停電検出回路における反応を速くできないことになる。
【００２０】
本発明は、上記課題を解決するためになされたもので、その目的は、ユーザインターフェイス部のレギュレータ発熱を抑えるとともに、停電検知の反応を素早くして停電からＣＰＵリセットまでの時間を長くし、停電時における必要な処理を確実に行えるようにした空調ネットワークシステムを提供することにある。
【００２１】
【課題を解決するための手段】
上記目的を達成するため、本発明は、ネットワーク上に接続した複数台の室内外機と、それら室内外機を遠隔制御可能とするためのユーザインターフェイス部および同ユーザインターフェイス部と上記各室内外機との通信を互換するためのコンバータ部を有する集中制御装置とを備え、上記ユーザインターフェイス部の空調制御操作手段の操作に応じて上記室内外機を制御して空調コントロールを実現する空調ネットワークシステムにおいて、上記コンバータ部は、交流電源を降圧，整流・平滑化して第１直流電圧を得、該第１直流電圧をＤＣ／ＤＣコンバータ手段でさらに降圧して第２直流電圧を得、該第２直流電圧をレギュレータで当該コンバータ部の動作電圧にするとともに、上記第２直流電圧を上記ユーザインターフェイス部に供給し、上記ユーザインターフェイス部では、供給された上記第２直流電圧をレギュレータで当該ユーザインターフェイス部の動作電圧とするようにしたことを特徴としている。
【００２２】
また、本発明は、別の特徴として、上記コンバータ部は、交流電源を降圧、整流・平滑化して第１直流電圧を得、この第２直流電圧をＤＣ／ＤＣコンバータ手段でさらに降圧して第２直流電圧を得、この第２の直流電圧をレギュレータで当該コンバータ部の動作電圧にするとともに、上記第２直流電圧をユーザインターフェイス部に供給する一方、上記第１直流電源により停電を検知し、その停電検知情報をユーザインターフェイス部に伝送し、ユーザインターフェイス部では供給された直流電圧をレギュレータで当該ユーザインターフェイス部の動作電圧とするとともに、伝送された停電検知情報により停電処理を行う。
【００２３】
上記第１直流電圧を生成する電源および第２直流電圧を生成する電源はトランスによる絶縁構造とすることが好ましい。これにより、集中制御装置における電気的絶縁が適切になり、極めて安全規格上好ましく、他の電圧を使用する回路部位の設計が極めて容易に行える。
【００２４】
上記ユーザインターフェイス部は、少なくとも空調制御の操作手段および表示手段を備えた専用のインターフェイス部（Ｕ／Ｉ（専用）部）と、パソコンのインターフェイス部（Ｕ／Ｉ（ＰＣ）部）とを含み、上記コンバータ部とＵ／Ｉ（専用）部およびＵ／Ｉ（ＰＣ）部との通信はパソコンと同等のインターフェイスを採用してそのコンバータ部を共通化してなり、パソコンのアプリケーションソフトを用いたＵ／Ｉ（ＰＣ）部とＵ／Ｉ（専用）部との接続を可能にするとよい。これによると、Ｕ／Ｉ（専用）部とＵ／Ｉ（ＰＣ）部の間において通信が可能とされ、当該システムの機能拡大が図れ、Ｕ／Ｉ（専用）部やＵ／Ｉ（ＰＣ）部の何れによっても、室内外機の制御が可能となる。
【００２５】
また、上記コンバータ部は、停電検知情報を内部に一旦取り込み、瞬時停電であるかもしくはＣＰＵリセットを伴う時間を有する停電であるかを判定し、その判定を含めて停電検知情報を上記ユーザインターフェイス部に伝送することにより、ユーザインターフェイス部における不必要な停電検知処理実行を低減することができ、その分、他の処理が行えるようになるため、システムの機能拡大が図れる。
【００２６】
また、上記ユーザインターフェイス部における動作電圧を最適化するため、コンバータ部からユーザインターフェイス部に供給される直流電圧は、少なくとも上記コンバータ部とＵ／Ｉ（専用）部およびＵ／Ｉ（ＰＣ）部との接続ケーブルの電圧降下分を加味して生成することが好ましい。
【００２７】
また、上記コンバータ部とユーザインターフェイス部との通信にはＲＣ２３２Ｃプロトコルを用い、空調制御のための通信およびハンドシェイク以外で空きピンを停電検知情報の伝送用に用い、Ｕ／Ｉ（ＰＣ）部とＵ／Ｉ（専用）部との互換性を確保するとよい。
【００２８】
さらには、上記コンバータ部は内部で停電を検知し、ＲＳ２３２Ｃインターフェイスの空きピンを利用して停電検知情報をパソコンのＵ／Ｉ（ＰＣ）部に伝送し、そのパソコンに搭載されているアプリケーションソフトによって停電の有無を判定して停電を報知し、その停電復帰後にコンバータ部との間の再同期処理を再開し、ネットワーク上の室内外機の再起動を可能にすることが好ましい。
【００２９】
これにより、標準インターフェイスによって当該システムが確実に制御され、しかも各通信に影響なく、コンバータ部およびユーザインターフェイス部において停電検知による停電処理が実現される。また、ユーザインターフェイス部のＵ／Ｉ（ＰＣ）部にて停電検知、停電処理が実行され、しかも入力交流電源の復帰時には再起動が行われ、当該システムが立ち上げられる。
【００３０】
【発明の実施の形態】
次に、本発明の実施形態を図１ないし図３を参照して詳しく説明する。なお、図中、図４と同一部分には同一符号を付して重複説明を省略する。
【００３１】
図１に示すように、本発明の空調ネットワークシステムの集中制御装置ＣＣには、ユーザインターフェイス部１０とコンバータ部１１とが含まれ、コンバータ部１１は、ＤＣ／ＤＣコンバータを用いて直流電圧を降圧してユーザインターフェイス部１０に供給するとともに、その降圧した直流電圧をレギュレータで当該コンバータ部１１の動作電圧とし、また、停電を検知してユーザインターフェイス部１０に送信し、ユーザインターフェイス部１０は、その降圧した直流電圧をレギュレータで当該ユーザインターフェイス部１０の動作電圧としており、これにより、レギュレータ発熱を抑え、また、停電検知の反応を早め、停電時にコンバータ部１１とユーザインターフェイス部１０とで必要な処理を同期させて行わせる。
【００３２】
コンバータ部１１は、入力交流電源８をＡＣ／ＤＣ電源５ａの降圧トランスで降圧し、全波整流・平滑化して直流電圧（第１直流電圧；１２Ｖ）とし、この直流電圧をＤＣ／ＤＣ電源（コンバータ）１１ａでさらに降圧し、この降圧した電圧（第２直流電圧；７Ｖ）をレギュレータ１１ｂで５Ｖの定電圧にしてＣＰＵ５ｃなどの電源電圧として用いる一方、降圧した７Ｖ電圧をユーザインターフェイス部１０に供給するとともに、停電検知回路５ｄの停電検知情報をバッファ回路１１ｃを介してユーザインターフェイス部１０に送信する。
【００３３】
ユーザインターフェイス部１０は、コンバータ部１１から供給された直流電圧（７Ｖ）をレギュレータ１２ａで５Ｖの定電圧にして当該ユーザインターフェイス部１０の電源電圧とし、コンバータ部１１から送信する停電検知信号をバッファ回路１２ｂを介して取り込んで空調制御に必要な処理を行うＵ／Ｉ（専用）部１２と、このＵ／Ｉ（専用）部１２と同様にコンバータ部１１からの電源および停電検知信号を受けて必要な処理を実行するＵ／Ｉ（ＰＣ）部１３とを備えている。
【００３４】
なお、コンバータ部１１、Ｕ／Ｉ（専用）部１２およびＵ／Ｉ（ＰＣ）部１３のその他の機能は、先の図４で説明したコンバータ部５、Ｕ／Ｉ（専用）部６およびＵ／Ｉ（ＰＣ）部７と同じであってよい。
【００３５】
また、ユーザインターフェイス部１０は、図４に示す停電検知回路６ｅを省いた構成であるが、Ｕ／Ｉ（専用）部１２およびＵ／Ｉ（ＰＣ）部１３の双方においてコンバータ部１１と同期して停電検知を可能としている。そのため、図２に示すように、コンバータ部１１の停電検知回路５ｄは、ＡＣ／ＤＣ電源５ａの出力直流電圧（１２Ｖ）と基準値Ｒｅｆと比較し、この比較結果を停電検知信号として出力するコンパレータ回路で構成されている。
【００３６】
この場合、停電検知回路５ｄは、ＡＣ／ＤＣ電源５ａの電圧変換のバラツキを加味し、極力高い電圧レベルで停電と判断できるリファレンスで反応するように設計される。具体的には、停電時に例えば１１Ｖのリファレンス電圧でコンパレータ回路が反応するようにするとよい。これにより、１２Ｖ系電圧が１１Ｖから８Ｖに降下するまで５Ｖ系が変動せず、図６と比較してＣＰＵのリセットまでの時間が３Ｖ分だけ余計に確保されることになる。
【００３７】
次に、この空調ネットワークシステムの集中制御装置ＣＣの動作を図３のタイムチャートを参照して説明する。例えば、ビル管理者などがＵ／Ｉ（専用）部１２の操作部６ｃあるいはＵ／Ｉ（ＰＣ）部１３を操作して各階などの空調コントロールに必要な設定を行うと、集中制御装置１０は、その操作に応じたデータをコンバータ部１１を介してネットワークバス１に送出する。室内機２および室外機３はそのデータをもとにして制御開始し、各階などにおける空調をコントロールする。
【００３８】
この場合、コンバータ部１１のＡＣ／ＤＣ電源５ａは交流電源８を降圧トランスで降圧して整流・平滑化した電源（直流電圧；１２Ｖ系）を出力しており、低電圧安定化用のチョッパ方式のＤＣ／ＤＣ電源１１ａは、その１２Ｖ系の直流電圧を７Ｖ系の直流電圧に変換する。
【００３９】
なお、ＡＣ／ＤＣ電源５ａについてはスイッチング方式を採用してもよい。また、ＤＣ／ＤＣ電源１１ａの出力電圧値は、ユーザインターフェイス部１０の動作電圧に同ユーザインターフェイス部１０のレギュレータ駆動電圧分と接続ケーブルの消費分と各デバイスのバラツキ分とを加味した値にするとよい。
【００４０】
そして、７Ｖ系の直流電圧をレギュレータ１１ｂで５Ｖ系の定電圧としてＣＰＵ５ｃなどの電源電圧として用いるとともに、その７Ｖ系の直流電圧をユーザインターフェイス部１０に供給する一方、１２Ｖ系の直流電圧を停電検知回路５ｄで検知し、停電検知信号をユーザインターフェイス部１０に送信する。
【００４１】
ユーザインターフェイス部１０のＵ／Ｉ（専用）部１２は、コンバータ部１１からの供給電源（７Ｖ系の直流電圧）をレギュレータ１２ａで５Ｖ系の定電圧としてＣＰＵ６ｂ、操作部６ｃ、表示部６ｄおよびドライバなどの電源電圧に用いる。また、Ｕ／Ｉ（ＰＣ）部１３においては、そのＵ／Ｉ（専用）部１２と同様に、７Ｖ系の直流電圧をレギュレータで５Ｖ系の定電圧としてＣＰＵなどの電源電圧に用いる。
【００４２】
ここで、コンバータ部１１と、Ｕ／Ｉ（専用）部１２およびＵ／Ｉ（ＰＣ）部１３との接続ラインについて具体的に説明すると、それをシリアル信号（ＲＣ２３２Ｃ）線を用いてＲｘＤ（受信データ），ＴｘＤ（送信データ）ポートで全二重通信を行う。
【００４３】
なお、ハンドシェイク線としては、ＤＴＲ（データ・ツー・レディ）／ＤＳＲ（データ・セット・レディ），ＲＴＳ（リクエスト・セット・センド）／ＣＴＳ（クリア・セット・センド）の２回線をもっている。
【００４４】
また、コンバータ部１１の停電検知回路５ｄからの停電検知信号は、例えばＲＣ２３２Ｃラインの１番ピンあるいは９番ピンの空きピンに接続する。すなわち、そのピンのポートはＰＣ側が入力となり、ＰＣのアプリケーションのソフト処理でイベントを発生させることが可能だからである。
【００４５】
上記シリアル信号出力をまとめると、２番ピン；ＲｘＤ、３番ピン；ＴｘＤ、４番ピン；ＤＴＲ、５番ピン；グランド線、６番ピン；ＤＳＲ、７番ピン；ＲＴＳ、８番ピン；ＣＴＳ、空きピンの１番ピンあるいは９番ピン；停電検知信号とする。
【００４６】
これにより、Ｕ／Ｉ（専用）部１２とＵ／Ｉ（ＰＣ）部１３とでコンバータ部１１を共有化することが可能となり、上述したようにＰＣのアプリケーションソフトで停電検知処理が行える。また、停電を検知した場合、ＰＣのアプリケーションソフトはユーザに対して停電の検知、ユーザへの情報表示の初期化、停電復帰後のシリアル信号線の再同期処理やネットワーク上の室内外機の再起動処理などが確実に行えるようになる。
【００４７】
ここで、空調コントロール時において、停電が発生すると、ＡＣ／ＤＣ電源５ａの出力電圧（１２Ｖ系直流電圧）が降下を開始するが（図３（ａ）参照）、ＤＣ／ＤＣ電源１１ａの出力電圧（７Ｖ系電圧）はそれよりも遅れて降下開始する（図３（ｂ）参照）。すなわち、ＤＣ／ＤＣ電源１１ａは１２Ｖ系直流電圧の変動に対して広範に出力電圧を安定化させることができるからである。例えば、ＤＣ／ＤＣ電源１１ａの内部ロスが１Ｖ程度とすれば、入力電圧が１２Ｖから８Ｖまで変動しても、その出力電圧を７Ｖ程度に維持させるようにすればよい。
【００４８】
また、７Ｖ系直流電圧が降下を開始し、しかる後にレギュレータ５ｂの出力電圧（５Ｖ系直流電圧）が降下を開始する（図３（ｃ）参照）。このように、５Ｖ系直流電圧の降下は７Ｖ系直流電圧の降下よりも遅れて開始する。
【００４９】
このとき、１２Ｖ系直流電圧が基準値Ｒｅｆ以下になると、停電検知回路５ｄによってＬレベルの停電検知信号（図３（ｄ）参照）がＣＰＵ５ｃに出力されるとともに、ユーザインターフェイス部１０にも送信される。そして、５Ｖ系直流電圧が１２Ｖ系直流電圧よりかなり遅れて降下を開始し、しかる後リセットレベル以下になると、各ＣＰＵ５ｃ，６ｂにおいてリセット処理が行われる（図３（ｅ）参照）。
【００５０】
このように、コンバータ部１１のＣＰＵ５ｃは、停電検知信号により内部で停電処理を実行するが、ユーザインターフェイス部１０のＵ／Ｉ（専用）部１２とＵ／Ｉ（ＰＣ）部１３のＣＰＵにおいても、それぞれ内部で停電処理を同期的に実行する。その停電処理にあっては、Ｕ／Ｉ（専用）部１２は専用ソフトを利用して停電検知信号により停電の有無を判定し、Ｕ／Ｉ（ＰＣ）部１３は搭載アプリケーションソフトによってその停電の有無を判定することになる。
【００５１】
特に、ネットワーク系の巨大なシステムを制御する場合、停電時には各室内機２の情報を書き換える作業を行い、例えば受信バッファに残っている室内機２のデータを保存したり、電源復帰時の自己動作や室内機２の起動動作などを不揮発性メモリにバックアップする作業を行う必要がある。
【００５２】
そこで、Ｕ／Ｉ（専用）部１２とＵ／Ｉ（ＰＣ）部１３は、停電検知信号を受けると、上述した作業を終了させた後、停電検知信号を監視しつつ待機状態に入るようにする。その時点で電源が復帰した場合には継続動作を行い、その停電が継続している場合には停電検知からリセットまでの時間Ｔの経過後にマイコンリセットを発生してリセット処理を実行する。
【００５３】
このように、ＤＣ／ＤＣ電源１１ａを用いて７Ｖ系直流電圧を得、この７Ｖ系直流電圧をコンバータ部１１のレギュレータで当該コンバータ部１１の動作電圧にする一方、Ｕ／Ｉ（専用）部１２およびＵ／Ｉ（ＰＣ）部１３に供給することから、コンバータ部１１およびＵ／Ｉ（専用）部１２およびＵ／Ｉ（ＰＣ）部１３におけるレギュレータ発熱が抑えられ、他方において、停電検知のための電圧レベルが広く停電検知反応を適切なものとすることができる。
【００５４】
また、上述したように、ＤＣ／ＤＣ電源１１ａを用いることにより、７Ｖ系直流電圧の降下が１２Ｖ系直流電圧と比較して遅く開始し、また停電検知回路５ｄのリファンレンス電圧を高いレベルに設定することを加え、さらに５系直流電圧の降下が１２Ｖ系直流電圧と比較して遥かに遅く開始する。
【００５５】
したがって、５Ｖ系直流電圧の降下開始タイミングが従来よりかなり遅くなる（つまり停電検知からリセットまでの時間Ｔが従来の時間ｔより長くなる）。これにより、コンバータ部１１、Ｕ／Ｉ（専用）部１２およびＵ／Ｉ（ＰＣ）部１３では、停電からリセットまでの時間Ｔ内で当該空調ネットワークシステムの現状態を完全に記憶し、再起動に際して元の状態に復帰可能とするデータの収集などの処理を行うことができるようになる。
【００５６】
なお、停電には瞬時停電もあるため、停電検知信号を一旦コンバータ部１１のＣＰＵ５ｃに取り込んで瞬時停電か、５Ｖ系直流電圧を維持できないレベルのままの永続的な停電かを判定し、この判定信号をユーザインターフェイス部１０に送信することにより、ユーザインターフェイス部１０における停電検知処理作業を少なくすることができる。
【００５７】
また、コンバータ部１１からのシルアル信号出力は、例えば２系統のコネクタを用い、Ｕ／Ｉ（ＰＣ）部１３と接続する場合、９番ピンの汎用ケーブルを使用できるようにし、Ｕ／Ｉ（専用）部１２と接続する場合、電源供給線を平行としたケーブルを使用できるようにするとよい。
【００５８】
さらに、ＡＣ／ＤＣ電源５ａの第１の電圧生成部と、ＤＣ／ＤＣ電源１１ａの第２の電圧生成部とをトランスで構成する二重絶縁構造を採用することにより、安全規格の面から、それ以後の電圧などを使用する回路構成の設計が極めて容易になる。
【００５９】
【発明の効果】
以上説明したように、本発明によれば、ネットワーク上に接続された少なくとも複数台の室内外機を遠隔制御する空調ネットワークシステムにおいて、その遠隔制御を行うためのユーザインターフェイス部と各室内外機との通信をコンバータ部で互換しており、このコンバータ部は交流電源を降圧、整流・平滑化した第１直流電圧を得、この第１直流電圧をＤＣ／ＤＣコンバータ手段でさらに降圧して第２直流電圧を得、この第２直流電圧をレギュレータで安定化して当該動作電圧を得るとともに、その第２直流電圧をユーザインターフェイス部に供給し、ユーザインターフェイス部では供給された直流電圧をレギュレータで安定化して当該動作電圧を得るようにし、第１直流電圧よりも低い第２直流電圧をレギュレータに入力するようにしていることから、レギュレータの発熱が抑えられ、ユーザインターフェイス部を建物の壁などに安心してに設置することができ、また、停電からＣＰＵリセットまでの時間内に必要な処理が可能となるという効果が奏される。
【００６０】
また、コンバータ部は上記第２直流電圧をユーザインターフェイス部に供給する一方、上記第１直流電圧により停電を検知し、この停電検知情報をユーザインターフェイス部に出力し、ユーザインターフェイス部では供給された直流電圧をレギュレータで安定化して当該動作電圧を得る一方、停電検知情報により停電処理を行うようにすることにより、上述した効果に加え、停電時には第２直流電圧よりも早く降下開始する第１直流電圧を用いて停電検知の反応を早くし、コンバータ部およびユーザインターフェイス部における必要な停電処理が同期的に行え、少なくともシステムの再起動時に必要な処理が確実に実行され、また、ハードウェア的にはコンバータ部のＤＣ／ＤＣコンバータが増えるが、ユーザインターフェイス部の停電検知回路が省かれ、コスト面でも有利でもあるという効果が奏される。
【図面の簡単な説明】
【図１】本発明による空調ネットワークシステムの一実施形態を示す概略的なブロック線図。
【図２】上記空調ネットワークシステムの制御系の要部を示す概略的なブロック線図。
【図３】上記空調ネットワークシステムの動作説明用のタイミングチャート。
【図４】従来の空調ネットワークシステムを示す概略的なブロック線図。
【図５】上記従来の空調ネットワークシステムの電源系を示す概略的なブロック線図。
【図６】上記従来の空調ネットワークシステムの動作説明用のタイミングチャート。
【符号の説明】
１  ネットワークバス
２  室内機
３  室外機
５ａ  コンバータ部のＡＣ／ＤＣ電源
５ｃ  コンバータ部のＣＰＵ
５ｄ  コンバータ部の停電検知回路
６ｂ  Ｕ／Ｉ（専用）部のＣＰＵ
６ｃ  Ｕ／Ｉ（専用）部の操作部
６ｄ  Ｕ／Ｉ（専用）部の表示部
１０  ユーザインターフェイス部
１１  コンバータ部
１１ａ  ＤＣ／ＤＣ電源
１１ｂ  レギュレータ
１２  Ｕ／Ｉ（専用）部
１２ａ  レギュレータ
１２ｂ  バッファ回路
１３  Ｕ／Ｉ（ＰＣ）部
ＣＣ  集中制御装置
【図１】
2004251467.tif 000003
【図２】
2004251467.tif 000004
【図３】
2004251467.tif 000005
【図４】
2004251467.tif 000006
【図５】
2004251467.tif 000007
【図６】
2004251467.tif 000008